【事件の表示】
　特許第３１５０７６８号「きのこ種菌接種機」の請求項１に係る特許に対する特許異議の申立てについて、次のとおり決定する。
【結　論】
　訂正を認める。
　特許第３１５０７６８号の請求項１に係る特許を維持する。
【理　由】
１．手続の経緯
　本件特許第３１５０７６８号の請求項１に係る発明は、平成４年６月２日に特許出願され、平成１３年１月１９日にその発明について特許権の設定登録がなされ、その後、その特許について日本精機株式会社より特許異議の申立てがなされ、取消理由を通知したところ、その指定期間内である平成１４年２月１４日に特許異議意見書及び訂正請求書が提出され、審尋に対する回答書が平成１４年４月２６日に提出されたものである。
　
２．訂正請求について
２-1．訂正の内容
　上記訂正請求において、特許権者が求めている訂正の内容は、以下の（ａ）〜（ｊ）のとおりである（下線部が訂正個所である）。
（ａ）願書に添付した明細書（以下、「特許明細書」という。）の特許請求の範囲の【請求項１】（本件特許公報１頁第１欄７行、及び１頁第２欄１行）に記載された「支持体」を、「
スライド
（ｂ）特許請求の範囲の【請求項１】（同公報１頁第１欄７〜８行）に記載された「種菌瓶列を複数列設け、」を「種菌瓶列を
前後に
（ｃ）特許明細書中の段落【０００６】（同公報２頁第３欄４４行）に記載された「支持体」とあるのを「
スライド
（ｄ）特許明細書中の段落【０００６】（同公報２頁第４欄第１行）に記載された「支持体」とあるのを「
スライド
（ｅ）特許明細書中の段落【０００７】（同公報２頁第４欄６行）に記載された「支持体」とあるのを「
スライド
（ｆ）特許明細書中の段落【００３９】（同公報６頁第１１欄３５行）に記載された「支持体」とあるのを「
スライド
（ｇ）特許明細書中の段落【００３９】（同公報６頁第１１欄４２行）に記載された「支持体」とあるのを「
スライド
（ｈ）特許明細書中の段落【００３９】（同公報６頁第１１欄４６行）に記載された「支持体」とあるのを「
スライド
（ｉ）特許明細書中の段落【０００６】（同公報第２頁第３欄４４〜４５行）に記載された「種菌瓶列を複数列設け、」を「種菌瓶列を
前後に
（ｊ）特許明細書中の段落【００３９】（同公報６頁第１１欄３５行）に記載された「種菌瓶列を複数列設け、」を「種菌瓶列を
前後に
２-2．訂正の適否
（１）（ａ）の訂正について
　当該訂正は、「支持体」を、より下位概念である「
スライド
　そして、当該訂正に関連して、特許明細書の段落【００３３】には、「図８は前列の種菌瓶から種菌を接種している状態であるが、前列の種菌瓶と後列の種菌瓶の接種位置を交換するため、各列の駆動ローラ１０４および支持ローラ１０６等の全体機構をスライド支持体１２４上に配置し、スライド支持体１２４ごと全体を前後動させることによって種菌瓶の接種位置を交換する。スライド支持体１２４は機体にスライド移動可能に支持し、スライド支持体１２４の下面にラック１２６を設けるとともにラック１２６に歯合する駆動ピニオン１２８を設け、駆動ピニオン１２８を駆動することによってスライド支持体１２４を前後動させる。」と記載され、特許明細書の段落【００３３】には当該訂正の構成が記載されている。したがって、当該訂正は、願書に添付した明細書又は図面に記載された事項の範囲内の訂正であって、新規事項の追加に該当せず、また実質上特許請求の範囲を拡張し、又は変更するものではない。
（２）（ｂ）の訂正について
　当該訂正は、一列に支持した種菌瓶列の配置を限定し、明確にしたものであるから、特許請求の範囲の減縮を目的とするものである。
　そして、当該訂正に関連して、特許明細書の段落【００３１】には、「種菌瓶１００が駆動ローラ１０４および支持ローラ１０６によって支持されて前後の２列にセットされ」と記載され、特許明細書の段落【００３１】には当該訂正の構成が記載されている。したがって、当該訂正は、願書に添付した明細書又は図面に記載された事項の範囲内の訂正であって、新規事項の追加に該当せず、また実質上特許請求の範囲を拡張し、又は変更するものではない。
（３）（ｃ）ないし（ｊ）の訂正について
　（ｃ）ないし（ｊ）の訂正は、発明の詳細な説明の記載を、上記（ａ）及び（ｂ）の訂正による特許請求の範囲の記載とと整合させるためのものであるから、明りょうでない記載の釈明を目的とするものであり、新規事項の追加に該当せず、また実質上特許請求の範囲を拡張し、又は変更するものではない。
２-3．むすび
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。
　
３．特許異議の申立てについて
３-1．異議申立て理由の概要
　特許異議申立人　日本精機株式会社は、下記の証拠方法を提出し、本件請求項１に係る発明は、その出願前に公知の甲第１号証から甲第４号証に記載された発明に基づいて当業者が容易になし得た発明であるから特許法第２９条第２項の規定により特許を受けることができないものであり、また明細書には、『支持体』及び『移動手段』についての具体的な定義はおろか、その説明も全く記載されていないものであり、特許法第３６条第４項、同法第３６条第５項第１号、第２号の規定に違反しているものであるから、その特許は特許法第１１３条第１項第２号及び同法第１１３条第１項第４号の規定により取り消すべきものである、旨主張している。
　　　　　　　　　　　　　　　　記
　甲第１号証：特開平４−１３５４１７号公報
　甲第２号証：特開平２−８４１１４号公報
　甲第３号証：実願平１−１２１３６１号（実開平３−６１８４６号）のマイクロフイルム
　甲第４号証：特開平３−３０６１３号公報
　
３-2．本件特許発明
　上記２．で示したように上記訂正が認められるから、本件特許第３１５０７６８号の請求項１に係る発明（以下、「本件発明」という）は、訂正後の特許明細書の特許請求の範囲の請求項１に記載されたとおりの、
　「栽培瓶を収納したコンテナを間欠送りし、搬送方向の前列から列ごとに栽培瓶に種菌を接種することによってコンテナ内のすべての栽培瓶に種菌を接種するきのこ種菌接種機であって、
　前記コンテナ内の栽培瓶列の一列の栽培瓶と同数の種菌瓶を倒立させてスライド支持体に一列に支持した種菌瓶列を前後に複数列設け、
　前記栽培瓶列へ種菌を接種する位置である種菌接種位置に存する種菌瓶列の各種菌瓶から種菌を掻き落として、対応する栽培瓶内に種菌を接種するかきおとし刃を有する種菌掻き落とし装置を設け、
　前記種菌接種位置に存する種菌瓶列の種菌が無くなったとき、複数の種菌瓶列のうち種菌が充填されている次列の種菌瓶列が前記種菌接種位置に位置するように、前記スライド支持体を移動させて各種菌瓶列を平行移動させる移動手段を設けたことを特徴とするきのこ種菌接種機。」である。
　
３-3．特許法第３６条第４項、第５項違反について
　特許異議申立人が、本件特許明細書に記載されていないと主張する「支持体」は、本件特許明細書に記載されている「スライド支持体」に訂正された。
　また、「移動手段」については、特許異議申立人が主張するように、本件特許明細書には「移動手段」の用語自体は定義して用いられてはいない。しかしながら、本件特許明細書記載の段落【００３３】には、「スライド支持体１２４の下面にラック１２６を設けるとともにラック１２６に歯合する駆動ピニオン１２８を設け、駆動ピニオン１２８を駆動することによってスライド支持体１２４を前後動させる。」と記載されており、は、本件特許明細書には、当業者が容易に実施できる程度に、「移動手段」についての構成が実質的に記載されているといえる。
　したがって、本件特許明細書には、特許異議申立人が主張するような記載上の不備があるとは認められない。
　
３-4．特許法第２９条第２項違反について
３-4-1．引用刊行物記載の発明
（ａ）甲第１号証（特開平４−１３５４１７号公報）には、
（ａ-1）「栽培容器群を複数列に整列して収納したコンテナを搬入側から種菌接種位置に移送しかつ列単位に間欠移送すると共に前記栽培容器群の種菌接種に伴う蓋開閉終了後搬出側に移送する移送コンベヤと、この移送コンベヤにより前記種菌接種位置に移送された栽培容器群の蓋を列単位で開閉する蓋開閉装置と、この蓋開閉装置により蓋が開放された栽培容器に列単位で種菌を充填する種菌充填装置とを備えたことを特徴とするきのこ種菌接種装置。」（特許請求の範囲）、
（ａ-2）「菌床ａが収納され蓋７が密封された栽培容器８群を例えば縦列４個、横列４個収容したプラスチック製のコンテナ９を移送始端側Ｃにおける移送コンベヤ２のチェーン５上に載せ、移送コンベヤ２を始動させるとチェーン５の走行によってコンテナ９を移送終端側Ｄに向かって移送できるようになっている。」（２頁右下欄１７行〜３頁左上欄３行）、
（ａ-3）「機枠１には前記センタ規制装置15の移送終端側の側部に位置して種菌充填装置49が設けられている。これは機枠１の左右に前後方向に向かうレール50を配設しており、このレール50に沿ってフレーム体51が前後方向に進退可能になっている。フレーム体51の前側の左右下端部には連結杆52の一端が枢支されて連結され、この連結杆52の他端には前記リンクアーム28と同軸でかつ同体的に回動するリンクアーム53の端部が枢支されて連結されている。フレーム体51の上部斜面板54には横一列の列単位の栽培容器8に対応する４個の孔55が形成され、各孔55にはきのこ種菌ｂを収納した種菌容器56を装着する装着筒57が軸方向を傾斜させて回転可能に配設されている。この装着筒57は種菌容器56の胴部56Aが挿入する径大部57Aと首部56Bが挿入する径小部57Bとを有し、種菌容器56を逆さに挿入すると図示しない板バネによって種菌容器56が装着筒57に固定されるようになっている。」（３頁右下欄１７行〜４頁左上欄１４行）、
（ａ-4）「前記上部斜面板54の下部にはモータ64が設けられ、このモータ64の回転力がチェーン65、スプロケット66を介して送り螺子杆63に伝達している。前記レール62には昇降板67が摺動可能に設けられていると共に昇降板67に設けられた雌螺子筒68と送り螺子杆63との螺合によって送り螺子杆63の正逆回転により昇降するようになっている。昇降板67には左右一対の平行リンクアーム69の基端が枢着され、この平行リンクアーム69の先端が横板70に枢着され、この横板70には各装着筒57に対応して掻取杆71が軸受72を介して軸支されている。この掻取杆71は装着筒57と同軸に設けられ、この上端にＶ字形の掻取爪73が形成されている。」（４頁右上欄６〜１８行）、
（ａ-5）「この掻取杆71の回転時には各装着筒57の回転と掻取杆71の上昇も行われ、掻取杆71はこの上昇に連動してカム面75に沿う軌跡に従い種菌容器56のセンタからこの形状に倣って側方へと移行するようになっている。また、掻取杆71は上昇端に達した時点で下降端まで復帰する。」（４頁右下欄５〜１０行）、
（ａ-6）「蓋挟付爪32、33・・・の復帰をリミットスイッチ47で検知すると移送コンベヤ２が再始動しコンテナ９を前進させ、これにより二列目の栽培容器８が容器検知センサ10によって検知されると前述の動作と同様に移送コンベヤ２の停止と可動位置決め部材13の進退動作が行われてコンテナ９が停止し、この後横一列の列単位で栽培容器８のセンタ規整、蓋開放、種菌充填、蓋閉塞の動作が行われる。このようにして一列単位で種菌の接種を行ってコンテナ９内の全ての栽培容器８に対する根付けを完了した後移送コンベヤ２の後側からコンテナ９を搬出するものである。」（５頁左下欄３〜１４行）、
と記載されている。
（ｂ）甲第２号証（特開平２−８４１１４号公報）には、
（ｂ-1）「本発明は、培養基を載置台上に固定した状態でキャップを取り外し、ついで植菌を行い、再びキャップを被せて搬出する動作を自動的に行うようにするとともに、植菌用の種菌を供給するための種菌充填容器が空になったらこれを検知して空容器から新しい種菌充填容器に自動的に交換がなされるようにして、植菌工程の無人化および連続化を実現したものである。」（３頁左下欄１２〜１９行）、
（ｂ-2）「この種菌供給ブロック49の詳細を第６図に示す。図において、50はやや傾斜した状態で取り付けられた小回転テーブルで、第１図に示すように５個の種菌充填容器51が、開口部5aを下にした状態で、上記小回転テーブル50に対し回転自在に保持されている。そして、上記種菌充填容器51のうちの一つの開口部51aに向かって直角方向に、下方から掻き出し棒52が配置されている。また、上記掻き出し棒52と対向する容器51はシリンダ48の作動で鎖線で示すように揺動する容器押さえ47によって下方に押しつけられ、その開口部51aが小回転テーブル50の下側に突出して位置決め固定されるようになっている。そして、この容器押さえ47の容器51に当たる部分には、容器51の底部を把持する板バネ46が突出していて、モータ45の作動によって容器51を回転させるようになっている。」（５頁左上欄３〜１９行）こと、
（ｂ-3）「一方、掻き出し棒52は、種菌充填容器51内に回転しながら所定の距離だけ進入して内部の種菌を掻き出す働きをする。」（５頁左上欄２０行〜右上欄３行）、
（ｂ-4）「上記掻き出し棒52が種菌を容器51内から全部掻き出して容器51の底まで達したときの掻き出し棒52の下端の位置（掻き出し棒52の上端が容器51の底に達した位置）を検知するリミットスイッチ54を設け、種菌充填容器51が空になった状態を検出できるようにしている。この検知信号を受けて、上記掻き出し棒52が初期位置に戻ると同時に、容器押さえ47が上方に上がって容器51を回転自在な状態にし、前記小回転テーブル50の駆動モータ50aが作動して小回転テーブル50を１／５回転させて新たな種菌充填容器51が掻き出し棒52上に位置決めするようになっている。…（略）…56はシューターで、掻き出した種菌を第１のホッパー57内に落とすようになっている。上記第１のホッパー57の底面はシリンダ58の動作によって開閉する蓋59によって形成されており、ホッパー57内に所定量の種菌が落下してきた時点で開き、第２のホッパー60を通過させて培養基５内に種菌を落とすようになっている。」（５頁右上欄８行〜左下欄９行）、
と記載されている。
（ｃ）甲第３号証（実願平１−１２１３６１号（実開平３−６１８４６号）のマイクロフイルム）には、
（ｃ-1）「本考案は、きのこの人工栽培用の種菌を、これを培養した種菌容器から効率よく取出す装置に関する。」（明細書６頁８〜１０行）、
（ｃ-2）「25は、台枠10に一端が固着しているモータ取付台26に装着された駆動モータで、出力スプロケット27と前記スプロケット23と、チェーンによって連結されている。回転軸21の上端からは、水平方向に放射状に複数の（図では３枚）の板体から成る種菌容器の搬送台30が延設されており、エアシリンダ22によって、回転軸21の上端が最も高い位置30'にあるとき、該搬送台30は、ホッパ１の上方を回転し、該軸21の上端が最も低い位置にあるとき、搬送台30の下面31が、案内口２の上端縁に当接可能なように、エアシリンダ22のストロークが定められている。回転軸21の駆動モータ25は、ホッパ１や台枠10などの適所に設けられた近接スイッチなどのような、搬送台30が、ホッパの真上にあることを検知する検出スイッチの信号に基ずいて、回転軸21を間欠駆動することにより、搬送台30をホッパ直上において、停止させるように作動する。搬送台30の各々には、ホッパ１上において案内口２と対面する位置に、夫々、種菌容器の保持開口32が設けられている。該開口32に、種菌容器80を倒立状態で嵌合装着する。実施例では、種菌容器80の種菌の開口81は、搬送台30の下面から下方に突出するように保持されているが、これは必ずしも、必須のことではなく、要は、種菌容器を確実に搬送できると共に、種菌取出後に搬送台から簡単に外せる構造の保持開口であればよい。」（同１４頁１２行〜１６頁２行）、
（ｃ-3）「等長リンク41、42は、夫々、押え板を挟持する状態の各一対のリンク部材から成り、一方のリンク42と水平基板40との間に、平行クランク機構の揺動手段として、エアシリンダ44を介装することにより、エアシリンダ44の伸縮動作に応じて、押え板43の上下の平行揺動動作が行なわれる。45は、押え板43の下面に突設した押えキャップでエアシリンダ44が、最も縮んだ位置にあるとき、該キャップ45が、ホッパの案内口に当接停止した種菌容器に当接するように設定されている。」（同１６頁１７行〜１７頁８行）、
（ｃ-4）「種菌収納箱60が、往復動してホッパ１の下に復帰すると、回転軸21が、エアシリンダ22によって上昇し、次いで、所定角度（実施例では、１２０度）だけ回動して、菌床で満たされている新しい種菌容器が前記と全く同様にホッパ上に装着されて、１サイクルが終了する。」（同２０頁６〜１２行）、
と記載されている。
（ｄ）甲第４号証（特開平３−３０６１３号公報）には、
（ｄ-1）「本発明は培基を栽培瓶から掻き出す際に用いる培基掻出装置に関する。」（１頁右下欄３〜４行）、
（ｄ-2）「14は栽培瓶を搬送するための搬送コンベヤで、前記フレーム本体10の上部枠と下部枠にかけて外周位置を周回するように配設する。…（略）…搬送コンベヤ14は、第３図に示すように、栽培瓶の瓶幅でコンテナの幅程度の長さを有する細板状のコンベヤ板14aをチェーン18に連設して構成され、各コンベヤ板14aには栽培瓶の瓶口の外径よりも若干大径の瓶口挿入孔20を、コンテナに収容された栽培瓶の瓶口位置に合わせて穿設する。実施例のコンテナは１列あたり４個の栽培瓶が収容されるから、１枚のコンベヤ板14aには４つの瓶口挿入孔20が設けられ、１つのコンテナには栽培瓶が４列収容されるからコンテナ１つに対して４枚のコンベヤ板14aを要することになる。」（２頁右下欄１１行〜３頁左上欄１１行）、
（ｄ-3）「前記掻出刃掻出部50下方の上下動ボックス45には、栽培瓶の内壁面に付着する培基を掻き出すための２枚刃を有する掻出刃64を配設する。…（略）…掻出刃64は上端がＬ形に折曲する刃を２本、刃先を外側に向けて支持ロッド64に支持したもので、２本の刃がたがいに外側に開く向き、すなわち栽培瓶の内壁面方向に刃先が接近する方向にバネ64b等で付勢されている。」（４頁右上欄９行〜左下欄１行）、
と記載されている。
３-4-2．対比・判断
　本件発明と甲第１号証記載の発明とを対比すると、甲第１号証記載の発明における「栽培容器８」、「コンテナ９」、「きのこ種菌接種装置」、「種菌容器56」、「種菌接種位置Ｅ」、「掻取爪73」、「種菌充填装置49」は、その機能に照らし、本件発明における「栽培瓶」、「コンテナ」、「きのこ種菌接種機」、「種菌瓶」、「種菌接種位置」、「かきおとし刃」、「種菌掻き落とし装置」にそれぞれ相当する。
　そうすると、上記両者は、
　「栽培瓶を収納したコンテナを間欠送りし、搬送方向の前列から列ごとに栽培瓶に種菌を接種することによってコンテナ内のすべての栽培瓶に種菌を接種するきのこ種菌接種機であって、
　前記コンテナ内の栽培瓶列の一列の栽培瓶と同数の種菌瓶を倒立させて支持体に一列に支持した種菌瓶列を設け、
　前記栽培瓶列へ種菌を接種する位置である種菌接種位置に存する種菌瓶列の各種菌瓶から種菌を掻き落として、対応する栽培瓶内に種菌を接種するかきおとし刃を有する種菌掻き落とし装置を設けたきのこ種菌接種機」の点で一致し、下記（Ａ）の点で相違している。
（Ａ）本件請求項１に係る発明では、スライド支持体に一列に支持した種菌瓶列を前後に複数列設け、種菌接種位置に存する種菌瓶列の種菌が無くなったとき、複数の種菌瓶列のうち種菌が充填されている次列の種菌瓶列が前記種菌接種位置に位置するように、前記スライド支持体を移動させて各種菌瓶列を平行移動させる移動手段を設けたのに対し、甲第１号証記載の発明では、支持体に種菌瓶列が１列に設けられ、種菌接種位置に存する種菌瓶列の種菌が無くなったとき、無くなった種菌瓶を作業者等が取り換えるものと認められ、上記本件請求項１に係る発明の構成を具備しない点。
　そこで、上記相違点（Ａ）について検討するに、甲第３号証記載の発明における「栽培容器71」、「コンテナ72」、「種菌容器80」、「接種容器の搬送台30」、「一対の揺動片3b」、「モータ取付台26に装着された駆動モータ25、スプロケット23,27、チェーン、回転軸21、エアシリンダ22 等」は、その機能に照らし、本件発明における「栽培瓶」、「コンテナ」、「種菌瓶」、「支持体」、「かきおとし刃」、「移動手段」に相当する。したがって、甲第３号証には、「栽培瓶を収納したコンテナを間欠送りし、コンテナ内のすべての栽培瓶に種菌を接種するきのこ種菌接種機であって、前記コンテナ内の栽培瓶列の一列の栽培瓶と同数の種菌瓶を倒立させて支持体に一列に支持した種菌瓶列を放射方向に複数列設け、前記栽培瓶列へ種菌を接種する位置である種菌接種位置に存する種菌瓶列の各種菌瓶から種菌を掻き落として、対応する栽培瓶内に種菌を接種するかきおとし刃を有する種菌掻き落とし装置を設け、前記種菌接種位置に存する種菌瓶列の種菌が無くなったとき、複数の種菌瓶列のうち種菌が充填されている次列の種菌瓶列が前記種菌接種位置に位置するように、支持体を移動させる移動手段を設けたきのこ種菌接種機」が記載されているが、甲第３号証記載のものは、支持体に相当する種菌容器の搬送台30を放射方向に複数延設し、種菌接種位置に存する種菌瓶列の種菌が無くなったとき、搬送台30の中心に配した回転軸21により該搬送台30を回転させて種菌が充填されている次列の種菌瓶列を前記種菌接種位置に位置するようにしたものであって、甲第３号証には、スライド支持体に一列に支持した種菌瓶列を前後に複数列設け、スライド支持体を移動させて各種菌瓶列を平行移動させる点について記載されておらず、またこの点を示唆するものでもない。
　また、甲第４号証記載のものは、きのこが生育し収穫を終えた培基を、栽培瓶を再使用するために栽培瓶から除去する技術に関するものであり、本件請求項１に係る発明におけるきのこ種菌接種機とは技術が相違するとともに、収穫を終えた培基を栽培瓶から除去する技術をきのこ種菌接種機に直接適用できるものではない。
　したがって、甲第４号証において搬送技術として支持体をスライドさせる技術が知られていたとしても、この支持体をスライド搬送する技術をきのこ種菌接種機に適用し、「スライド支持体に一列に支持した種菌瓶列を前後に複数列設け、スライド支持体を移動させて各種菌瓶列を平行移動させる」点が甲第３号証及び甲第４号証の記載から容易であるとはいえない。
　さらに、甲第２号証には、やや傾斜した状態で取り付けられた小回転テーブル50上に、倒立した状態で５個の種菌充填容器51を保持し、種菌充填容器51のうちの一つの開口部51aに向かって下方から掻き出し棒52を配置し、該掻き出し棒52により種菌を全部掻き出して種菌充填容器51の底に掻き出し棒52が達すると容器が空になったことを検出して掻き出し棒52が初期位置に戻ると同時に、前記小回転テーブル50が１／５回転して種菌が充填された新たな種菌充填容器51が掻き出し棒52上に位置決めされる自動植菌装置、すなわちきのこ種菌接種機が記載されているが、甲第２号証にも、相違点（Ａ）における本件請求項１に係る発明の構成について記載も示唆もないものである。
　したがつて、本件請求項１に係る発明が、甲第１号証ないし甲第４号証記載の発明に基づいて当業者が容易に発明をすることができたものと認めることができない。　
　
３-5．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は、拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年９月６日（２００２．９．６）
【訂正の要旨】
訂正の要旨
　特許第３１５０７６８号発明の特許明細書を訂正請求書に添付した訂正明細書のとおりに訂正するもので、その訂正の内容は、特許請求の範囲の減縮を目的として下記（ａ）及び（ｂ）のとおりに訂正し、明りょうでない記載の釈明を目的として下記（ｃ）ないし（ｊ）のとおりに訂正する。
（ａ）願書に添付した明細書（以下、「特許明細書」という。）の特許請求の範囲の【請求項１】（本件特許公報１頁第１欄７行、及び１頁第２欄１行）に記載された「支持体」を、「
スライド
（ｂ）特許請求の範囲の【請求項１】（同公報１頁第１欄７〜８行）に記載された「種菌瓶列を複数列設け、」を「種菌瓶列を
前後に
（ｃ）特許明細書中の段落【０００６】（同公報２頁第３欄４４行）に記載された「支持体」とあるのを「
スライド
（ｄ）特許明細書中の段落【０００６】（同公報２頁第４欄第１行）に記載された「支持体」とあるのを「
スライド
（ｅ）特許明細書中の段落【０００７】（同公報２頁第４欄６行）に記載された「支持体」とあるのを「
スライド
（ｆ）特許明細書中の段落【００３９】（同公報６頁第１１欄３５行）に記載された「支持体」とあるのを「
スライド
（ｇ）特許明細書中の段落【００３９】（同公報６頁第１１欄４２行）に記載された「支持体」とあるのを「
スライド
（ｈ）特許明細書中の段落【００３９】（同公報６頁第１１欄４６行）に記載された「支持体」とあるのを「
スライド
（ｉ）特許明細書中の段落【０００６】（同公報第２頁第３欄４４〜４５行）に記載された「種菌瓶列を複数列設け、」を「種菌瓶列を
前後に
（ｊ）特許明細書中の段落【００３９】（同公報６頁第１１欄３５行）に記載された「種菌瓶列を複数列設け、」を「種菌瓶列を
前後に
（５４）【発明の名称】
きのこ種菌接種機
（５７）【特許請求の範囲】
　【請求項１】　栽培瓶を収納したコンテナを間欠送りし、搬送方向の前列から列ごとに栽培瓶に種菌を接種することによってコンテナ内のすべての栽培瓶に種菌を接種するきのこ種菌接種機であって、
　前記コンテナ内の栽培瓶列の一列の栽培瓶と同数の種菌瓶を倒立させてスライド支持体に一列に支持した種菌瓶列を前後に複数列設け、
　前記栽培瓶列へ種菌を接種する位置である種菌接種位置に存する種菌瓶列の各種菌瓶から種菌を掻き落として、対応する栽培瓶内に種菌を接種するかきおとし刃を有する種菌掻き落とし装置を設け、
　前記種菌接種位置に存する種菌瓶列の種菌が無くなったとき、複数の種菌瓶列のうち種菌が充填されている次列の種菌瓶列が前記種菌接種位置に位置するように、前記スライド支持体を移動させて各種菌瓶列を平行移動させる移動手段を設けたことを特徴とするきのこ種菌接種機。
【発明の詳細な説明】
　【０００１】
　【産業上の利用分野】
　本発明はきのこ種菌接種機に用いる種菌瓶交換機構に関する。
　【０００２】
　【従来の技術】
　栽培瓶を用いたきのこの人工栽培では栽培瓶に培地を充填した後、培地に種菌を接種して培養工程に進む。
　種菌接種は栽培瓶に培地を充填して殺菌処理をした後に行うが、種菌を接種する場合は栽培瓶からキャップを外して栽培瓶内の培地上に一定量の種菌を落とし込むようにして行い、種菌接種後は再びキャップをして培養へ進む。
　この種菌接種を自動化して行う種菌接種機としては従来種々の装置が使用されている。たとえば、コンテナから１本ずつ栽培瓶を取り出して栽培瓶からキャップを外して種菌接種するようにしたものがあり（特公昭５５−４１７３１号）、また、コンテナから自動的に栽培瓶をコンベヤ上に取り出し、コンベヤで接種位置まで移送して種菌を接種した後、再度コンテナに栽培瓶を戻すことによってコンテナごと装置にかけて種菌接種できるようにした装置（特公平３−７６８８５号）がある。
　【０００３】
　【発明が解決しようとする課題】
　しかしながら、最近はきのこの栽培規模が拡大してさらに多数本の栽培瓶を扱うようになってきたから作業性の要請からより高速で種菌接種が行える装置が求められている。
　上述した従来の装置はコンテナから栽培瓶を取り出して種菌を接種することを基本構成としているから、人手によりあるいは機械的にコンテナから栽培瓶を取り出したり戻したりするためどうしてもロスが発生せざるを得ないのである。
　【０００４】
　上記のように従来の装置でいったんコンテナから栽培瓶を取り出して種菌を接種するようにする方法は、１本１本の栽培瓶に確実に種菌接種できる点で有効である。種菌接種の際には雑菌などが瓶内に混入しないように注意して行う必要があり、培養室等でもできるだけ雑菌がはいり込まないように管理しているから、接種した種菌がコンテナ等に落ちて付着することは望ましくないからである。
　このように、種菌接種では能率的に作業できるとともに、種菌を接種した際にコンテナ内に種菌がこぼれ落ちたりしないようにして各々の栽培瓶に確実に種菌を接種できることが重要な要件になる。
　【０００５】
　本発明は上記問題点を解消すべくなされたものであり、その目的とするところはコンテナごと接種機にかけて種菌接種することができ、コンテナに栽培瓶を収納した状態のまま種菌接種することによって能率的に種菌接種することができるとともに、とくに接種用種菌を収納した種菌瓶の交換作業を容易にすることによってコンテナ送りによる種菌接種を連続的に行うことを可能にするきのこ種菌接種機に用いる種菌瓶の交換機構を提供しようとするものである。
　【０００６】
　【課題を解決するための手段】
　本発明は上記目的を達成するため次の構成を備える。
　すなわち、栽培瓶を収納したコンテナを間欠送りし、搬送方向の前列から列ごとに栽培瓶に種菌を接種することによってコンテナ内のすべての栽培瓶に種菌を接種するきのこ種菌接種機であって、前記コンテナ内の栽培瓶列の一列の栽培瓶と同数の種菌瓶を倒立させてスライド支持体に一列に支持した種菌瓶列を前後に複数列設け、前記栽培瓶列へ種菌を接種する位置である種菌接種位置に存する種菌瓶列の各種菌瓶から種菌を掻き落として、対応する栽培瓶内に種菌を接種するかきおとし刃を有する種菌掻き落とし装置を設け、前記種菌接種位置に存する種菌瓶列の種菌が無くなったとき、複数の種菌瓶列のうち種菌が充填されている次列の種菌瓶列が前記種菌接種位置に位置するように、前記スライド支持体を移動させて各種菌瓶列を平行移動させる移動手段を設けたことを特徴とする。
　【０００７】
　【作用】
　空になった種菌瓶を種菌が充填されている種菌瓶と交換する場合において、移動手段がスライド支持体を移動させることによって、種菌が充填されている次列の種菌瓶列を種菌接種位置に位置するように各種菌瓶列を平行移動させる。これにより、種菌瓶を交換する際も連続して種菌接種作業を続けることができる。
　【０００８】
　【実施例】
　以下、本発明の好適な実施例を添付図面に基づいて詳細に説明する。
　はじめに、本発明に係る種菌瓶交換機構を適用したきのこ種菌接種機についてその概略構成と動作について述べる。
　図１はきのこ種菌接種機の外面図を示す。このきのこ種菌接種機は栽培瓶をコンテナに収納した状態で接種機にかけるよう構成したもので、図のＡ部分がコンテナを搬入する部分、Ｂ部分がコンテナの１列ごと種菌接種する部分、Ｃ部分が種菌接種後のコンテナを取り出す部分である。
　【０００９】
　栽培瓶はキャップ封止した状態で接種機にセットするから、種菌を接種するＢ部分ではキャップを栽培瓶から外す操作、栽培瓶に一定量の種菌を落とし込む操作、再度栽培瓶にキャップを被せる操作を行う。本装置はコンテナの進行方向に直交する列内の栽培瓶のすべてに一度に種菌接種するようにしている。
　コンテナは栽培瓶の瓶間隔ごと間欠送りし、これによってコンテナ内のすべての栽培瓶に種菌を接種することができる。コンテナは自動的に間欠送りされるから、前のコンテナに続いて順次コンテナを送り込むことによって連続的に種菌接種することができる。
　【００１０】
　図１でＤ部分は接種用の種菌を収納した種菌瓶をセットする部分である。種菌瓶は栽培瓶と同じプラスチック瓶で、一定量の種菌が充填されて提供される。種菌接種の際にはこの種菌瓶から１回ごとかきおとし刃で種菌をけずるようにして一定量の種菌を栽培瓶の培地上に落とし込むようにする。
　図２はきのこ種菌接種機の平面図を示す。図の装置は１列に４本ずつ４列の栽培瓶を収納したコンテナに種菌を接種する装置の例で、Ｄ部分では各列に対応して１本ずつ種菌瓶をセットできるようにしている。
　【００１１】
　図３はキャップ脱着機構および種菌の接種部分の構成をコンテナ搬入側から見た状態を示す。
　１０は栽培瓶、１２はコンテナである。１４は接種機の基台で、コンテナ１２は搬送方向に平行に基台１４に取り付けた支持板１６上を循環して移動するチェーン１８に載置されて搬送される。２０は搬送位置にあるコンテナ１２の上方で搬送面を幅方向に跨ぐようにして設置した支持枠体である。支持枠体２０はコンテナ１２に収納した栽培瓶１０の高さ位置よりも若干上方位置で跨ぐように設ける。
　【００１２】
　支持枠体２０には定寸送りされる栽培瓶１０を肩部でおさえる瓶おさえ機構と栽培瓶１０に装着したキャップ１０ａを脱着するキャップ脱着機構を設ける。
　瓶おさえ機構は種菌を接種する位置まで移動してきた栽培瓶をその肩部で押さえることによって栽培瓶をまっすぐ起立させて支持し、これによって各々の栽培瓶を正確に位置決めして確実に種菌接種できるようにするものである。種菌を接種する際に栽培瓶が斜めになっていると瓶口が接種位置からずれ、種菌を落とした際に正確に瓶口内に入らなくなって栽培瓶の外に種菌がこぼれたりするからである。
　なお、図３で８０は種菌瓶から掻き落とされた種菌を各々の栽培瓶に導くためのホッパ、８２は種菌落としのシャッタ、８４は瓶口まで種菌をガイドして栽培瓶内に確実に種菌を落とすためのシュータである。種菌瓶の交換機構はホッパ８０の上方に設置される。
　【００１３】
　瓶おさえ機構は図３に示すように種菌接種位置まで移送された栽培瓶１０の肩部を瓶押さえ板２２で下方に押さえつけて栽培瓶１０を支持するもので、隣り合った栽培瓶では１枚で両側の栽培瓶を押さえるようにし、外側の栽培瓶１０についてはそれぞれの外側に１枚ずつ設けてどの栽培瓶１０も両側の肩部で押さえるようにする。
　コンテナ１２を定寸送りする際は瓶押さえ板２２を肩部から離してフリーに栽培瓶１０が通過できるようにする。このように瓶押さえ板２２は種菌接種とタイミングを合わせて栽培瓶１０を押さえるようにするものである。駆動ロッド２８は瓶押さえ板２２の押さえ動作を駆動するためのものである。
　【００１４】
　瓶押さえ機構は上記のように種菌を接種する際に栽培瓶を正立させて保持するためのものであるが、前記キャップ脱着機構もキャップを脱着する機能とともに栽培瓶を正置させて確実に種菌を落とし込む機構を備えている。
　図３で４０はキャップ脱着機構に設けた押さえローラである。押さえローラ４０はコンテナ１２とともに搬送される栽培瓶１０のキャップ１０ａの上面を押接するローラで、コンテナ１２内の栽培瓶１０の１本ずつに対応して配置する。
　【００１５】
　上記押さえローラ４０は１本の支持軸に固定し、支持軸の両端は支持枠体２０に回動可能に取り付けた反転アーム４４に軸支する。この反転アーム４４は一端側が駆動ロッド４５に係止され、キャップの脱着動作に合わせてコンテナ１２の搬送方向と平行な鉛直面内で回動する。
　４６は押さえローラ４０の両側に配置した支持アームである。支持アーム４６の両端は前記反転アーム４４に固定して支持する。押さえローラ４０は上記のように支持軸に横向きに固定するが、支持軸は支持アーム４６に取り付けたスプリングによって常時下方に付勢して支持する。支持軸４２の両端は反転アーム４４との取り付け位置で長孔によって支持され支持軸は上下に若干可動に支持されている。
　【００１６】
　上述したように押さえローラ４０はキャップの上面を押接して栽培瓶１０を正立させ、栽培瓶１０を正立した状態でキャップを外すようにするためのものである。したがって、押さえローラ４０でキャップを押さえる際の押さえ動作によって栽培瓶が傾斜しないようにする必要がある。このため、本装置では押さえローラ４０を栽培瓶の搬送方向に合わせて回転させキャップの上面で押さえローラ４０が転動するようにしている。
　前記瓶押さえ板２２は栽培瓶が種菌接種位置まで移動してきた際に栽培瓶の肩部を押さえるが、押さえローラ４０はコンテナに収納された栽培瓶のキャップ位置に高さを合わせてセッティングしておき、搬入側から種菌接種位置まで栽培瓶が移動してくる際にキャップの前端縁からキャップ上面に乗り、キャップ上面で転動しつつキャップを押接し、栽培瓶がちょうど種菌接種位置まで移動したときに押さえローラ４０がキャップ上面の中央部を押さえるように位置設定する。
　【００１７】
　図３に示すように栽培瓶１０はコンテナ１２に収納されて搬送されるから、搬送時の振動等で揺動することが避けられない。しかしながら、上記のように瓶押さえ板２２で栽培瓶の肩部を押さえ、かつ押さえローラ４０でキャップ上面を押さえることによって種菌接種位置で栽培瓶を正立させて確実に支持することができる。
　コンテナに栽培瓶を収納したままで搬送しながら種菌を接種する場合は、従来方式の栽培瓶をコンテナから取り出して種菌接種する場合にくらべて栽培瓶を種菌接種位置に正しく保持することが困難であり、接種接種を確実に行うことが困難になる。したがって、本装置のように正確に栽培瓶を保持する操作は的確な種菌接種をなすうえで非常に重要である。
　【００１８】
　図３で５４、５６は押さえローラ４０を取り付けた支持軸を回転駆動するためのギヤである。支持軸はギヤ５４に連繋して回転しこれによって押さえローラ４０が回転する。押さえローラ４０の回転とコンテナ１２の搬送移動とは連動しており、栽培瓶が種菌接種位置まで移動してコンテナ１２が停止した際には押さえローラ４０の回転も停止する。
　６０は支持アーム４６の下面に取り付けた押さえ爪である。押さえ爪６０は図のように隣接する栽培瓶のキャップ１０ａ間に位置するよう支持アーム４６の下面に取り付ける。押さえ爪６０は栽培瓶１０からキャップを外す際にキャップ１０ａの側方に張り出す外周縁部分に下面から当接してキャップを外すように作用する。押さえ爪６０は栽培瓶が搬送される際にキャップにあたらないようにキャップ１０ａの上縁からやや下がった細径部分を通過するように設定している。
　【００１９】
　種菌接種位置まで移動してきた栽培瓶はキャップ１０ａの上面が押さえローラ４０で押さえられるとともに、キャップ１０ａの両側に押さえ爪６０が位置したところで停止する。この状態から反転アーム４４が上昇開始するとスプリングによって押さえローラ４０が下方に押圧され、押さえローラ４０と押さえ爪６０とでキャップ１０ａを挟圧保持する。
　この状態から反転アーム４４がさらに上昇することによって、キャップ１０ａは押さえローラ４０と押さえ爪６０に把持されたまま支持アーム４６の上昇によって持ち上げられ、栽培瓶の本体は瓶押さえ板２２によってコンテナ１２上で保持され瓶口からキャップがはずされる。
　図４は駆動ロッド４５が引き下げられ、反転アーム４４が反転して支持アーム４６が上位置に上昇した状態を示す。キャップ１０ａは押さえローラ４０と押さえ爪によって把持されて直立位置に引き上げられている。
　【００２０】
　図５〜図７はコンテナ１２の最前列の栽培瓶１０が種菌接種位置まで移動して種菌を接種する操作を側面方向から見た様子を示す。
　図５は押さえローラ、押さえ爪等のキャップ把持機構がキャップの上部位置にある状態である。４２は押さえローラ４０を支持する支持軸である。反転アーム４４は軸４４ａを支点として支持枠体２０に回動可能に軸支される。駆動ロッド４５は支持アーム４６を取り付けた側とは反対側の反転アーム４４の端部に取り付け、駆動ロッド４５を上下方向に押動することによって反転アーム４４が反転移動する。
　【００２１】
　図６は反転アーム４４が反転してキャップが上位置まできた状態である。キャップ１０ａは押さえローラ４０と押さえ爪６０によって把持されている。
　種菌接種の際には種菌を導入するホッパ８０およびシュータ８４が栽培瓶１０の瓶口の直上に位置する。シュータ８４はホッパ８０から落下する種菌を栽培瓶の瓶口内に確実にガイドして落とすために設けたものであるが、このシュータ８４は栽培瓶からキャップ１０ａをはずして側方にキャップを退避させた際にちょうど瓶口上方に移動するようにしている。
　【００２２】
　図５に示すように栽培瓶からキャップを外す前の状態ではシュータ８４は栽培瓶とは離れて搬出側に位置している。シュータ８４は図４に示すように各々の栽培瓶１０ごとに１つずつ設けるが、各々のシュータ８４はシュータ支持板７０に取り付け、シュータ支持板７０はその両側位置で突出入自在に支持するガイドロッド７２によって支持する。７４はシュータ支持板７０と反転アーム４４との側面間を連絡する連結ロッドである。
　【００２３】
　連結ロッド７４は反転アーム４４とシュータ支持板７０とを連動して移動させるために設けたもので、図５に示す状態から反転アーム４４が上位置に向けて反転開始すると、それとともに連結ロッド７４によってシュータ支持板７０が種菌接種位置の栽培瓶に向けて引き出される。
　反転アーム４４の反転位置と連結ロッド７４およびシュータ８４の配置位置関係を適当に設定することにより、図６に示すように反転アーム４４が反転してキャップが持ち上げられたところでガイドロッド７２によって支持されシュータ８４が栽培瓶の瓶口まで引き出すようにすることができる。
　【００２４】
　シュータ８４は栽培瓶が通過する際の妨げにならないよう栽培瓶の瓶位置よりもやや高い位置にセットするから、図６に示すように栽培瓶の瓶口まで引き出した際にはシュータ８４と栽培瓶の瓶口との間に若干隙間が生じる。このため実施例の装置では接種時にシュータ８４を瓶口内までやや沈み込ませるようにして種菌が瓶口からこぼれないようにしている。
　シュータ８４を沈み込ませる機構は、図６でシャッタ８２の開閉に連動して回動するＬ字アーム７６と、ガイドロッド７２を支持する支持体７７とＬ字アーム７６との間で連結する押し下げアーム７８と押し下げアーム７８を上下方向に押動する押し下げロッド７９によって構成する。
　【００２５】
　図６に示すように、反転アーム４４の反転とともに引き出されたシュータ８４はガイドロッド７２によって支持されて栽培瓶の瓶口上方に位置するが、次いで押し下げロッド７９が下動することによって支持体７７の前端側が降下し、これによってガイドロッド７２が降下して図７に示すように瓶口内にシュータ８４が沈み込む。
　また、シャッタ８２側では押し下げロッド７９が下降することによって、押し下げアーム７８を介してＬ字アーム７６が図で時計回り方向に回動し、Ｌ字アーム７６に取り付けたチェーンが引かれることによってシャッタ８２が開放する。図７はシャッタ８２が開いて種菌がシュータ内に落とし込まれる状態を示す。
　こうして、シュータ８４によって確実に瓶口内に種菌を誘導して栽培瓶に種菌を接種することができる。
　【００２６】
　なお、種菌はホッパ８０の上方に設置した種菌瓶から一定量ずつホッパ８０内に落とし込まれ、シャッタ８２を開くことによって栽培瓶内に接種される。ホッパ８０への種菌の供給はコンテナの搬送操作、キャップの脱着操作とタイミングをとってなされる。
　続いて、この種菌の供給機構について説明する。
　図１に示すように種菌の供給部は種菌接種機の上部でホッパ８０の上方に設置する。種菌は前述したように種菌瓶に収納されて提供されるが、種菌を接種する際には種菌瓶の瓶口を下向きに倒立させて支持し、かきおとし刃を瓶内に差し入れて少しずつ種菌を削りながら接種する。このとき、かきおとし刃自体を回転すると同時に、かきおとし刃の回転方向とは逆向きに種菌瓶を回転させる。これは種菌瓶を回転することによってかきおとし刃の移動距離を長くとり必要量の種菌がかきおとされるようにするためである。
　【００２７】
　図１０は種菌の供給部に種菌瓶１００をセットした状態をコンテナの搬入側から見た状態を示す。種菌瓶１００は各々のホッパ８０に対応して１本ずつセットする。１０２は各々の種菌瓶に対して設置したかきおとし刃である。かきおとし刃１０２は瓶口を下向きにしてセットした栽培瓶の瓶口から徐々に瓶内に進入して種菌のかきおとしを行う。
　かきおとし刃１０２と逆向きに種菌瓶１００を回転駆動するため本実施例では種菌瓶１００の外面に駆動ローラ１０４および支持ローラ１０６を当接して種菌瓶１００を倒立させて支持するとともに、駆動モータ１０８によって駆動ローラ１０４を回転駆動することによって種菌瓶１００を回転するようにしている。
　【００２８】
　図１１は前記駆動ローラ１０４および支持ローラ１０６のの平面配置を示す。駆動ローラ１０４および支持ローラ１０６は各々の種菌瓶１００についてその外面を三点で支持し、これによって種菌瓶１００を倒立させて支持するよう配置する。また、一つの種菌瓶１００については少なくとも一つの駆動ローラ１０４が種菌瓶１００の外面に接するようにし、駆動ローラ１０４の駆動力によって種菌瓶１００が回転するよう構成している。
　実施例では種菌瓶１００を４本並べて配置し、図のように各種菌瓶１００の中間に駆動ローラ１０４を配置して一つの駆動ローラ１０４によって両側の種菌瓶１００を回転駆動するようにした。駆動ローラ１０４の外面は種菌瓶１００の外面との滑り止めのためゴムローラとした。
　【００２９】
　駆動ローラ１０４は駆動モータ１０８の駆動軸に連結する駆動ギヤ１１０と平ギヤ１１２ａが歯合することによって連繋され、チェーン１１４を介して回転駆動される。
　支持ローラ１０６はフリー回転するよう支持したローラで種菌瓶１００の外面に当接して種菌瓶１００の回転駆動をガイドする作用をなしている。
　図１１に示すように本実施例の種菌の供給機構では４本の種菌瓶をセットする配置を並列に２セット設けることを特徴とする。図１１は手前の４本の種菌瓶１００から種菌を接種する状態で、後ろ側の種菌瓶については種菌瓶を交換セットする状態である。
　【００３０】
　種菌瓶内の種菌を使い終わったときには供給部から空き瓶をはずして新しい種菌瓶と交換して種菌接種を続けるが、この交換作業のためにコンテナの搬送を止めて種菌瓶の交換を行うようにするのは非能率である。そこで、本実施例では接種用の種菌瓶を２セット配置し、一方の接種作業中に他方側の種菌瓶を交換できるようにした。
　図１１で後ろ側の一種菌瓶１００のセットについて駆動ローラ１０４、支持ローラ１０６等の配置は手前側のセットと同形式である。なお、支持ローラ１０６は種菌接種の際には種菌瓶の外面に当接して種菌瓶を支持しているが、種菌瓶を交換する際には種菌瓶を外しやすいよう外側に開くようにした。
　【００３１】
　図８は種菌の供給部を側面方向から見た状態を示す。種菌瓶１００が駆動ローラ１０４および支持ローラ１０６によって支持されて前後の２列にセットされ、後列の支持ローラ１０６ａが外側に開いている様子を示す。
　図１１に示すように各々の支持ローラ１０６は１本の支持バー１１５上に支持し、支持バー１１５を軸１１６で軸支することによって支持ローラ１０６を揺動可能に支持している。
　１１８ａ、１１８ｂは支持バー１１５の一端に取り付けた押さえバーで、図８に示すようにスプリング１２０によって支持ローラ１０６の先端が外側に開くように付勢している。図８で後列のセットについては押さえバー１１８ｂがスプリング１２０によって付勢され持ち上げられている。
　【００３２】
　一方、前列の押さえバー１１８ａについは上面にローラ体１２２がのってスプリング１２０の弾性力に抗して押さえバー１１８ａを押さえつけている。ローラ体１２２の押さえ力によって押さえバー１１８ａが押し下げられ、軸１１６を支点として支持バー１１５が回動し、支持バー１１５上の４本の支持ローラ１０６が種菌瓶１００の外面を押圧する。こうして、各々の種菌瓶１００が駆動ローラ１０４および支持ローラ１０６により３点支持によって回転可能に支持される。
　【００３３】
　図８は前列の種菌瓶から種菌を接種している状態であるが、前列の種菌瓶と後列の種菌瓶の接種位置を交換するため、各列の駆動ローラ１０４および支持ローラ１０６等の全体機構をスライド支持体１２４上に配置し、スライド支持体１２４ごと全体を前後動させることによって種菌瓶の接種位置を交換する。
　スライド支持体１２４は機体にスライド移動可能に支持し、スライド支持体１２４の下面にラック１２６を設けるとともにラック１２６に歯合する駆動ピニオン１２８を設け、駆動ピニオン１２８を駆動することによってスライド支持体１２４を前後動させる。
　【００３４】
　実施例の装置では図８に示すようにスライド支持体１２４は傾斜させて機体に取り付け、スライド支持体１２４が移動する際は斜め方向に移動するようにしている。
　図９は前列の種菌瓶の種菌接種が終了してスライド支持体１２４が前に移動した状態である。スライド支持体１２４が前に移動することによって前列の押さえバー１１８ａにのっていたローラ体１２２が後列の押さえバー１１８ｂにのりうつり、押さえバー１１８ｂを押さえることによって後列の支持ローラ１０６を種菌瓶１００の外面に押さえつけるようにする。
　【００３５】
　図１１では前列の平ギヤ１１２ａに駆動ギヤ１１０が歯合しているが、スライド支持体１２４が上記のようにして前に移動すると、こんどは後列の平ギヤ１１２ｂに駆動ギヤ１１０が歯合して後列の駆動ローラ１０４を回転駆動する。こうして、前列から後列への移動がなされるとともに種菌瓶１００の回転駆動がうつり変わることによって後列の種菌瓶から種菌接種がなされる。
　前列側では押さえバー１１８ａが持ち上がって支持ローラ１０６が外側に開いて空き瓶の交換をする状態になる。
　【００３６】
　図９で８０ａはホッパ８０の前側面を覆うホッパガイドである。このホッパガイド８０ａは図のようにスライド支持体１２４の移動とともにホッパ８０に対して開閉するように取り付ける。ホッパガイド８０ａはスライド支持体１２４が前に移動する際に種菌瓶内に残っていた種菌が外に落ちないようにするために設けたもので、スライド支持体１２４が移動する際に種菌瓶から落下した種菌を受けてホッパ８０の本体側に導き、シュータ８４から栽培瓶内に種菌が落ちるようにしている。
　【００３７】
　図９で後列の種菌瓶について種菌接種している間に前列に新たに種菌瓶をセットし次回の種菌接種に備える。
　スライド支持体１２４の機体上でのスライド移動は種菌瓶内の種菌が終わることによって自動的になされる。すなわち、種菌瓶中の種菌が終わったことを検知することによってスライド支持体１２４が反対側に移動して新たな種菌瓶から接種がはじまる。こうして、種菌の終了とともにほぼ連続的に自動で種菌接種がなされる。
　【００３８】
　なお、上記実施例はコンテナの１列に４本の栽培瓶を収納するものについて示したが、実際の装置においては栽培瓶の瓶数、サイズ等に応じて適宜条件設定することによって種々製品に対応することが可能である。
　上記実施例の種菌接種機はコンテナに栽培瓶を収納したままの状態で列単位で種菌を接種するから、コンテナから栽培瓶を取り出して種菌接種する従来方法にくらべて高速で種菌接種することができる。また、種菌を接種する際に栽培瓶を種菌接種位置で正立させて支持し、瓶口から種菌が外部にこぼれないようにして種菌接種することができ、確実な種菌接種を行うことが可能になる。
　また、種菌瓶を自動的に交換する機構を設けることによってほぼ連続的に種菌接種することが可能になり、さらに能率的な種菌接種をなすことができる。
　【００３９】
　【発明の効果】
　本発明に係るきのこ種菌接種機によれば、コンテナ内の栽培瓶列の一列の栽培瓶と同数の種菌瓶を倒立させてスライド支持体に一列に支持した種菌瓶列を前後に複数列設け、栽培瓶列へ種菌を接種する位置である種菌接種位置に存する種菌瓶列の各種菌瓶から種菌を掻き落として、対応する栽培瓶内に種菌を接種するかきおとし刃を有する種菌掻き落とし装置を設け、種菌接種位置に存する種菌瓶列の種菌が無くなったとき、複数の種菌瓶列のうち種菌が充填されている次列の種菌瓶列が種菌接種位置に位置するように、前記スライド支持体を移動させて各種菌瓶列を平行移動させる移動手段を設けたので、種菌接種位置において種菌瓶列が種菌が無くなって空になった際の種菌瓶の交換作業を連続的に効率よく行うことができ、種菌接種の作業効率が上がると共に、スライド支持体を移動させて各種菌瓶列を平行移動させるようにしたので種菌瓶の交換機構を簡易に構成できる。
【図面の簡単な説明】
　【図１】
　種菌接種機の一実施例の全体構成を示す外面図である。
　【図２】
　種菌接種機の平面図である。
　【図３】
　種菌接種機で種菌接種前の状態を搬入側から見た説明図である。
　【図４】
　種菌接種機でキャップを外した状態を示す説明図である。
　【図５】
　種菌接種機でキャップをはずす直前の状態を示す側面図である。
　【図６】
　種菌接種機でキャップをはずした状態の側面図である。
　【図７】
　種菌接種機で種菌を接種する状態を示す側面図である。
　【図８】
　種菌瓶の交換機構の一実施例の側面図である。
　【図９】
　種菌瓶を接種位置へ移動させた状態の側面図である。
　【図１０】
　種菌瓶の交換機構を正面方向から見た状態を示す説明図である。
　【図１１】
　種菌瓶の交換機構の平面図である。
　【符号の説明】
　１０　栽培瓶
　１０ａ　キャップ
　１２　コンテナ
　１８　チェーン
　２０　支持枠体
　２２　瓶押さえ板
　２８　駆動ロッド
　３２　スプリング
　４０　押さえローラ
　４４　反転アーム
　４５　駆動ロッド
　４６　支持アーム
　６０　押さえ爪
　８０　ホッパ
　８２　シャッタ
　８４　シュータ
　１００　種菌瓶
　１０２　かきおとし刃
　１０４　駆動ローラ
　１０６　支持ローラ
　１１０　駆動ギヤ
　１１２ａ、１１２ｂ　平ギヤ
　１１８ａ、１１８ｂ　押さえバー
　１２２　ローラ体
　１２４　スライド支持体
　１２６　ラック
　１２８　駆動ピニオン